(57)【要約】【課題】  圧力センサにより水位を検出するものにあって、給水時の水槽内の圧力変動に伴なう水位検出誤差を補正可能とする。【解決手段】  洗いやすすぎの給水時に、予め設定された目標水位Ｗ０の到達前の初期所定水位Ｗ１を検出し、この初期所定水位Ｗ１を検出したとき給水動作を所定時間休止するとともに、該休止時間後の変動水位Ｗ２と前記初期所定水位Ｗ１とを比較し、その検出結果たる違差αに基づき前記目標水位Ｗ０を調整可能としたものにあって、水槽２の圧力が高めとなる傾向にあって前記変動水位Ｗ２が低く検出される場合は、前記違差αに応じて前記目標水位Ｗ０を上方修正するようにした。【選択図】  図１
2005160510.tif 000002
【特許請求の範囲】
【請求項１】
水槽内に配設された洗濯槽内の水位を圧力センサで検出し、その水位検出信号に基づき洗濯槽への給水を制御するようにした制御手段を備えたものにおいて、
給水時に、予め設定された目標水位の到達前の初期所定水位を検出し、この初期所定水位を検出したとき給水動作を所定時間休止するとともに、該休止時間後の水位が前記初期所定水位より低い検出結果となった場合、その水位違差に応じて前記目標水位を上方修正するようにしたことを特徴とする洗濯機。
【請求項２】
休止時間後の水位が、初期所定水位と同等若しくはそれより高い検出結果となった場合、目標水位は無修正としたことを特徴とする請求項１記載の洗濯機。
【請求項３】
水位違差に応じた目標水位の上方修正には上限値を設けたことを特徴とする請求項１記載の式洗濯機。
【請求項４】
洗い行程中の水位の低下を検出したとき補注水する手段を備え、この補注水の目標水位は給水時における修正後の水位としたことを特徴とする請求項１記載の洗濯機。
【発明の詳細な説明】
【技術分野】
【０００１】
本発明は、圧力センサを用いた水位検出に基づき給水制御を行なうようにした洗濯機に関する。
【背景技術】
【０００２】
従来、洗濯槽への給水量は、洗濯物量に応じた目標水位に制御され、必要な水量のもとに有効な洗浄性能を得るようにしている。しかしながら、洗濯物は通常当初は乾いた状態で洗濯槽に投入され、目標水位に達した給水後の洗い行程では、撹拌作用を受けた洗濯物が十分に吸水することとなり、その吸水により実際の水位は低下し所期の洗浄性能が得られず更には洗濯物が傷むなどの不具合を呈する。そこで、洗濯物量に応じた吸水量を予め記憶しておくとともに、目標水位までの検出時間から給水能力を算定するなどして、吸水状態に応じた給水所要時間を算出して実際必要とする給水量を確保するようにした提案がなされている（例えば、特許文献１参照）。
【０００３】
ところで、洗濯槽内の水位を検出する手段としては、特許文献１にも記載されているように周知の圧力センサが採用され、この検出圧力を発振周波数信号に代えて制御するようにしている。しかるに昨今、この水位制御の基本となる圧力センサの水位検出が誤作動することが判明し、所定の目標水位が得られない事態を招き、その多くは低水位に制御されて水量不足による問題を生じている。但し、これは圧力センサ自体の故障等による誤作動ではない。
【特許文献１】実用新案登録第２５１９３８７号公報
【発明の開示】
【発明が解決しようとする課題】
【０００４】
上記のような問題点の背景につき述べると、通常洗濯物を収納し洗いや脱水等を行なう洗濯槽の周りには貯水可能とした水槽が設けられている。現在、乾燥機能付の洗濯機などが増えており、近年の組立製造技術の精度向上も踏まえ、これまでの水漏れ防止に加えて乾燥性能の向上や蒸気洩れ防止の観点から、該水槽の気密性が大いに高められているのが一つの要因となっている。即ち、水槽が乾燥室を兼ねるように気密性が良くなり圧力の逃げ場を失う略密閉状態にあると、給水時に洗濯槽内への給水により水槽内の圧力が一時的に急に高められ、圧力センサは目標水位到達前の水位で検出作動し、本来必要な水量が得られなくなるのである。但し、水槽は厳密には完全気密化される程でもないので、時間の経過に伴ない高められた圧力は扉等の処々の隙間より漏出して低下する。
【０００５】
加えて、上記のような事態を一層顕著に誘発する要因として、排水系統の異常が考えられる。一般に排水経路としては、水槽底部からの排水と、異常な水位上昇を防止するための溢水口からの排水とを１本の排水ホースに連結し、その先端を外部の所定の排水場所に延出している。従って、排水ホースを通じて外気に連通した通常状態においては、所望の目標水位は圧力センサにて適正に検出される。
【０００６】
ところが、この排水ホースが部屋の敷居や防水パン等の段部を跨ぎ上下方向に湾曲すると、洗濯槽や水槽内の排水は終えても排水ホースの湾曲した内部に残水し、外部と遮断した状態となる。このため、圧力の逃げ場を失い給水時に水槽内の圧力は一時的に高くなり、圧力センサは上記のように誤作動して水位誤差を誘起することになる。但し、上記した圧力センサによる水位検出機能を除けば、水槽内の水も排水できるなど通常の洗濯機の運転は支障なく行なえるため、使用者はこれを異常現象として捉えることが難しく対応できなった。
【０００７】
本発明は上記問題点を解決するため、圧力センサによる水位誤差の現象傾向を確認しながら、必要に応じ目標とする検出水位に修正を加え、所定の給水量を確保できるようにした洗濯機を提供することを目的とする。
【課題を解決するための手段】
【０００８】
上記目的を達成するために本発明の洗濯機は、水槽内に配設された洗濯槽内の水位を圧力センサで検出し、その水位検出信号に基づき洗濯槽への給水を制御するようにした制御手段を備えたものにおいて、給水時に、予め設定された目標水位の到達前の初期所定水位を検出し、この初期所定水位を検出したとき給水動作を所定時間休止するとともに、該休止時間後の水位が前記初期所定水位より低い検出結果となった場合、その水位違差に応じて前記目標水位を上方修正するようにしたことを主たる特徴とするものである。
【発明の効果】
【０００９】
本発明の洗濯機によれば、当初設定された目標水位到達前における初期所定水位で検出された水位が所定時間後に低くなった場合、これは給水時に水槽内の圧力が一時的に高まる傾向にあると判断し、その水位違差に応じて目標水位を高めに修正設定し、その後の給水により本来必要な水量を確保できるようにした。従って、水槽の気密性が高い条件下における給水にあっても、圧力センサによる水位の検出誤差を補正可能とする給水制御ができ、適正な給水量のもとに所期の洗浄性能が得られ且つ洗濯物の傷みも抑えることができる。
【発明を実施するための最良の形態】
【００１０】
本発明の一実施例を乾燥機能付のドラム式洗濯機に適用した図１ないし図４を参照して説明する。
まず、図３の洗濯機全体の概略構成を説明するため、要部を破断して示す側面図を参照して説明すると、外郭を形成する筐体１の内部には、やや傾斜した横軸円筒状をなす水槽２を適宜の弾性支持装置１５を介して弾性支持していて、該水槽２は、洗濯物の出し入れのため前面側を大きく開口している他は、実質的に無孔状をなして貯水可能な構成としている。そして、この水槽２の前面開口から筐体１の前面にわたりベローズ３が水密に設けられるとともに、該ベローズ３は洗濯物の出し入れ口１ａを開閉する扉４の内面とも密接する。従って、このベローズ３により水槽２や、後述する洗濯槽から飛散した水は、筐体１内外のいずれにも漏出することはない防水構成としている。
【００１１】
そして、この水槽２の内部には同様の横軸周りに回転可能な円筒状のドラム５が設けられ、該ドラム５は周壁に多数の透孔５ａを有するとともに、水槽２と同様に前面側を大きく開口し、回転可能に支持するドラム軸６を介して前記水槽２の背部に取付固定された直流ブラシレスモータからなるモータ７により回転駆動される。斯くして、ドラム５は投入された洗濯物を該ドラム５の回転により洗い、すすぎ、脱水、更には乾燥まで行なう洗濯槽として機能する。
【００１２】
上記水槽２やドラム５内に供給された水は、使用後は水槽２の底部に接続され、途中に排水弁８を介した排水ホース９から機外に排出され、また必要以上の水量が供給されることがないように、水槽２の所定高さ位置に溢水口１０ａが設けられ、これに溢水ホース１０が接続されている。この溢水ホース１０の排出側は、前記排水弁８の下流側で排水ホース９に接続されて１本化され所定の排水場所に延出されており、従って該溢水口１０ａに流入した水は直ちに機外に排出可能としている。
【００１３】
また、筐体１内の上部には、洗濯槽への給水手段たる給水弁１１が設けられ、該給水弁１１には途中に洗剤投入ケース１３を備えた給水管路１２が水槽２の上部との間に接続され、ドラム５内に給水可能としている。しかるに、給水弁１１からの給水量は、ドラム５内の水位を検出する圧力センサ１４からの検出信号に基づき後述する制御手段に基づき制御され、該圧力センサ１４は水槽２の下部に接続されたエアチューブ１４ａを介して連通接続されている。
【００１４】
また、本実施例では乾燥機能付の洗濯機としての温風循環路１６を備えている。この温風循環路１６は、水槽２の背面下部から前方上部にかけて連通接続され、その途中に熱交換器１７、送風機１８及びヒータ装置１９を順次配設している。尚、熱交換器１７は、乾燥運転時に乾燥に寄与した後の湿気を含んだ温風を冷やすことで、水分を凝縮して排出し、この除湿した乾いた空気を上記ヒータ装置１９にて効率良く加熱温風化するための除湿機能を有する。
【００１５】
尚、同図中に二点鎖線で示す排水ホース９は、部屋の敷居や防水パン等の段部２６を乗り越えて排水場所に延出され、一部上方に折れ曲がり湾曲した使用状態を示している。この場合、運転には差し支えないが湾曲部に一部残水することになり、排水ホース９及び溢水ホース１０を通しての大気との連通は遮断された状態となる。従って、水槽２内の気密性は一段と高まり略密閉状態となることが予測される一例を示している。
【００１６】
次に、図４は本実施例の洗濯機の電気的構成を示すブロック図で、制御手段２０はマイクロコンピュータを主体とした回路構成からなり、洗濯機の洗いから脱水、更には乾燥運転を含む運転全般を制御するための制御プログラム記憶し、商用ＡＣ電源２１を直流化するＤＣ電源回路２２の直流電源を電源としている。しかるに、ブラシレスモータからなるモータ７は、そのロータの回転位置を検出するために例えばホールＩＣからなる位置センサ２３を備え、該センサ２３から出力される位置検出信号に基づきインバータ回路２４を介して駆動制御される。また、この位置センサ２３は、洗い運転開始時に洗濯物が収納されたドラム５の立ち上がりや立ち下がりの回転特性たるパルスをカウントし、この信号に基づき制御手段２０は洗濯物量を検出する洗濯物量検出手段として機能する。
【００１７】
その他、主な電気的構成につき述べると、制御手段２０の入力ポートには運転条件等を設定する操作パネルキー２５や洗濯槽内の水位を検出する前記圧力センサ１４等が接続され、これらからの入力信号に基づき前記した給水弁１１、排水弁８、送風機１８及びヒータ装置１９等が制御される。尚、前記したように水位を検出する圧力センサ１４からの検出信号に基づき、制御手段２０は給水弁１１を制御し所謂給水制御手段も兼ね備えている。因みに、図２は上記給水制御手段によるフローチャートを示したもので、また図１（イ），（ロ）は夫々異なる状態における圧力センサ１４により検出した水位の変動特性に基づく制御手段２０による給水制御手段を説明するための作用説明図で、以下の作用説明の項で詳細説明する。
【００１８】
次に、上記構成の洗濯機の作用について述べる。尚、この種ドラム式洗濯機では、ドラム５の回転制御により洗い行程、すすぎ行程、脱水行程、及び必要に応じ乾燥行程を続いて実行するようしており、且つドラム５はインバータ制御のモータ７により適正な回転速度のもとに駆動される。このような運転行程は、一般的に周知であるので上記行程の作用説明は省略し、特に本発明の特徴とする給水制御手段について、洗いやすすぎ行程の前段に行なわれる給水行程を主体に、以下図２のフローチャートに沿って説明する。また、図３に排水ホース９を二点鎖線で示した排水状態の如く、水槽２内の気密性が高くて略密閉状態であるときの水位の変動特性を示す図１（イ）を参照して説明する。尚、図１は縦軸に圧力センサ１４で検出した場合の水位を示し、横軸にタイムチャートを兼ねた運転行程を示している。
【００１９】
まず、図示しない各種の操作パネルキー２５による設定操作やドラム５内への洗濯物の投入、更には洗剤投入ケース１３への洗剤供給等の準備をした後、運転スタートする。モータ７が駆動され位置センサ２３からの検出信号を受けて制御手段２０は洗濯物量を検出し（ステップＳ１）、これに応じた給水量たる目標水位Ｗ０を決定するとともに、該目標水位Ｗ０より若干低水位（Ｗ０−ａ）の初期所定水位Ｗ１も決定する（ステップＳ２）。この場合、洗濯物量検出手段を用いず操作パネルキー２４の設定操作で直接目標水位を決定し併せて初期所定水位も決定するようにしても良い。
【００２０】
しかして、ステップＳ３にて給水手段たる給水弁１１がＯＮ動作し所謂給水行程が開始され、水道水が図３中の破線矢印で示すように給水管路１２を介して水槽２内、従ってドラム５内に供給される。この給水開始に伴ない、洗剤投入ケース１３内に収納されていた洗剤も、この水に押し流され一部は溶解されるようにして投入される。このような給水動作が、初期所定水位Ｗ１に達するまで行なわれ（ステップＳ４）、該水位Ｗ１に達すると、これを圧力センサ１４が検出し発振周波数に置き換えた信号が制御手段２０に入力される。尚、水位検出時は、当然ながらモータ７やドラム５の回転駆動は常に停止状態で行なわれる。
【００２１】
この初期所定水位Ｗ１は、図１に示すように該水位Ｗ１に至るまでの圧力センサ１４により検出された水位の変動（上昇）ラインは、同符号Ａ１で示す傾向を呈する。この場合、水位の上昇開始初期の急激な立ち上がり現象は、水槽２内への給水と、該給水に伴ない給水管路１２や洗剤収納ケース１３などの給水経路内の空気が同時に押し出されて、一瞬水槽２内の圧力が高まることによるものである。
【００２２】
斯くして、初期所定水位Ｗ１が検出されると給水弁１１はＯＦＦ動作し（ステップＳ５）、給水動作は所定時間（例えば、８秒間）休止される（ステップＳ６）。この休止時間中に、水槽２内の圧力は扉４、温風循環路１６及び上記給水経路などの処々の合わせ面より漏出して低下し、従って水位は、図１中の変動ラインＢ１で示すように徐々に下降し、休止時間後の水位を圧力センサ１４により変動水位Ｗ２として検出される。
【００２３】
その結果、制御手段２０は初期所定水位Ｗ１と変動水位Ｗ２との水位違差αを検出する（ステップＳ８）。この場合、図１からも明らかなように変動水位Ｗ２は初期所定水位Ｗ１よりも低くなり、従ってステップＳ９にて低いと判定されてステップＳ１０に移行し、前記違差αが予め定めた範囲の内，外かが判定される。そして、この違差に応じて当初設定の目標水位Ｗ０が調整され補正目標水位Ｗ３が設定される。
【００２４】
即ち、上記変動水位Ｗ２がドラム５や水槽２内の現在の実質水位であり、これが初期所定水位Ｗ１より低くなることは、略密閉状態の水槽２内にあって圧力の逃げ場がなく或いは少ないため、給水動作中に圧力センサ１４により検出される水位が、高めに検出されていることが分かる。従って、当然目標水位Ｗ０のもとに検出された水位では水量不足となるため、該目標水位Ｗ０に対し上方修正された水位、所謂補正目標水位Ｗ３に調整設定される。尚、この休止時間（８秒間）中に洗濯物が吸水することで水位低下も考えられるが、実測した結果によれば、この間の吸水は微小で上記圧力の変動が主たる要因であることが分かっている。
【００２５】
しかして、ステップＳ１０において違差αが予測される範囲内の値であればステップＳ１１に移行し、例えば本実施例では図１中に示すように違差αに等しい調整水量β（α＝β）たる水位が、当初の目標水位Ｗ０に付加され補正目標水位Ｗ３が設定される（ステップＳ１４）。ところが、本実施例では水槽２の所定高さ位置に溢水口１０ａを設けているので、上記補正目標水位Ｗ３がこの溢水口１０ａ（溢水水位に相当）を超えて設定されないよう監視しており（ステップＳ１５）、仮に溢水口１０ａを超えた水位設定となった場合には、該補正目標水位Ｗ３は低く調整され、例えば略溢水口１０ａ近傍の溢水水位に設定される（ステップＳ１６）。
【００２６】
このように、補正目標水位Ｗ３が設定されると給水弁１１が再びＯＮ動作され（ステップＳ１７）、上記と同じ給水経路を経た給水が再開され、水槽２やドラム５内に再び給水される。図１では、初期の水位変動ラインＡ１と類似した傾向の水位変動ラインＣ１で示すように水位は上昇する。そして、この再給水により補正目標水位Ｗ３に達すると、これを圧力センサ１４が検出し給水弁１１をＯＦＦ動作して給水行程を終了する。しかるに、以後洗い行程に移行するが、時間の経過とともに補正目標水位Ｗ３が徐々に低下し、本来の目標水位Ｗ０に近づき有効な洗浄作用が行なわれる。
【００２７】
但し、この洗い行程における水位低下現象は、給水行程における圧力の逃げ（変動）によるものではなく、この場合は洗濯物の吸水により水槽２及びドラム５内の水位低下が加味されるもので、必要ならばこの吸水による水位低下も考慮して前記調整水量β（この場合、α＜β）を設定しても良い。
ところが、先のステップＳ１０において、同じ水位が低下する現象にあっても違差αが予測範囲を超え非常に大きく検出される場合も想定できる。これは、水槽２内の圧力が徐々に抜けるとは相違し、例えば水が漏洩するなどの異常事態も推測される。
【００２８】
しかるに、そのような場合でも異常な違差αに等しい調整水量βを付加することは極めて高水位設定となり、一時的にでも多量の給水がなされることは安全性に欠け、補正目標水位Ｗ０として設定するには相応しくない。そこで、調整すべき水量は必要以上の高水位に設定されることがないように上限値が設けられ、違差αが予め設定された範囲外まで水位低下したような場合には、調整水量βは上限値に止めるようにしている。従って、ステップＳ１０において範囲外の水位違差αを検出したときは、ステップＳ１２の如く調整水量βは上限値に定められ、過大な水量調整とならないように補正目標水位Ｗ０を設定している。
【００２９】
更には、上記は何れも変動水位が低下する現象であったのに対し、所定休止時間後の変動水位Ｗ２が初期所定水位Ｗ１と同等の場合（若しくは、高くなる場合）も想定できる。これが、図１（ロ）に示す水槽２内が密閉状態でないときの圧力（水位）変動特性であり、この場合の給水制御手段を示している。即ち、溢水口１０ａも大気と連通し処々の組合せ部位からの圧力が抜け易い場合には、給水が開始されると圧力センサ１４に基づく水位変動ラインＡ２は直線的に上昇し、初期所定水位Ｗ１が検出される。
【００３０】
そして、初期所定水位Ｗ１が検出されると、上記と同様に給水弁１１はＯＦＦ動作し、給水は停止され所定時間の８秒間休止する。ところが、この休止時間後の変動水位Ｗ２は水槽２内の圧力の変動が殆んどないため、水位変動ラインＢ２は水平に推移し略同等の水位に保たれる（Ｗ２＝Ｗ１）。このことは、圧力センサ１４で検出した初期所定水位Ｗ１が、実際の水位と誤差なく検出されていることを明らかにしている。従って、この場合は当初設定の目標水位Ｗ０を調整する必要はなく、所謂無調整（調整水量βはゼロ）としている。
【００３１】
このように、図２のステップＳ９にて水位の変動がなくて等しいとか、逆に上昇するようなことがあった場合には、無駄な水量増とならないようにステップＳ１３にて調整水量βは０（ゼロ）の判定を経て、当初の目標水位Ｗ０を修正することなく給水制御される。尚、所定休止時間後の変動水位Ｗ２が上昇する頻度は少ないが、その現象としては圧力センサ１４で初期所定水位Ｗ１を検出した後に、水槽２及びドラム５内に給水された場合が考えられる。例えば、洗剤投入ケース１３を含む給水管路１２などの給水経路が長くて、しかも初期所定水位Ｗ１を検出するまでは水道水が他の用途に使われていて少給水量であったのに対し、検出後に水道源の圧力が回復して多量の給水が開始されたばかりであったような場合に起こり得る。
【００３２】
そして、上記した給水制御手段は、すすぎ行程における給水時でも同様に行なわれ水量不足による布痛みを防ぎながら有効なすすぎができる。また、本来の目標水位Ｗ０のもとに開始された洗いやすすぎ行程において、洗濯物が撹拌作用を受けて水との混合状態が良好になるにつれ水位が低下する（図１中水位変動ラインＤ１で示す）。この現象は、洗濯物の吸水が要因であることが知られており、そのため該水位の低下を補うべく、水の補給（以下、補注水と称す）が行なわれていて、従来では単に目標水位Ｗ０に基づき給水制御している。このため、圧力が一時的に高めとなる条件下では補注水後であっても若干水量不足となる傾向が多かった。
【００３３】
しかるに本実施例では、図１（イ）に示すように洗いやすすぎ行程の途中で圧力センサ１４により、そのときの洗浄水位Ｗ４を検出し、当初の目標水位Ｗ０より低下している検出結果に基づき上記補注水するのであるが、この補注水の目標とする調整水量は、先に実行された補正目標水位Ｗ３を設定した調整水量βと同じくして調整され、同じ給水条件のもと同様に給水制御され、もって洗濯物の吸水が進んでも本来の洗浄に必要な水量たる適正な目標水位Ｗ０を目指した給水が行われ、補注水後の洗浄効果を良好ならしめている。
【００３４】
これに対し、図１（ロ）の圧力の変動が少ない状態にあっても上記（イ）の場合と同様に水位変動ラインＤ２で示すように水位が低下し（水位Ｗ４）、このことから水位低下現象の要因は正に洗濯物の吸水性に基づくものであることが分かる。そして、この場合における補注水は、先の給水行程時における調整水量βとしての付加分は０（ゼロ）であるため、当初の目標水位Ｗ０による給水制御が行なわれ、もって上記同様の洗浄性能が得られるようにしている。
【００３５】
以上説明したように本実施例によれば、次の効果を有する。
洗いやすすぎの給水時に、予め設定された目標水位Ｗ０の到達前の初期所定水位Ｗ１を検出し、この初期所定水位Ｗ１を検出したとき給水動作を所定時間休止するとともに、該休止時間後の変動水位Ｗ２と前記初期所定水位Ｗ１とを比較し、その検出結果たる違差αに基づき前記目標水位Ｗ０を調整可能とし、その後の再給水にて所望の給水量を得られるようにした。従って、水槽２の気密性が高まり通常圧力が高めとなる傾向にあっては圧力センサ１４が検出する水位は、実際に必要とする水位より低水位となってしまうのであるが、この場合本実施例では、この水位違差αに応じて前記目標水位Ｗ０が上方修正され、所謂補正目標水位Ｗ３が設定され、その後の再給水により不足分を補ない本来必要な水量を確保できる。よって、適正な給水量のもとに所期の洗浄性能が得られ且つ洗濯物の傷みも抑えることができる。
【００３６】
一方、休止時間後の変動水位Ｗ２が初期所定水位Ｗ１と等しいとか、逆に上昇するようなことがあった場合には、水量を付加することは異常高水位設定となる恐れがあるので、この場合は調整水量は０（ゼロ）と判定され、無調整として当初の目標水位Ｗ０に基づく給水制御が行なわれる。
上記したような相反する現象は、水槽２が略密閉状態ある場合と、逆に比較的圧力が水槽２外に逃げ易い場合とが考えられるが、いずれも過不足を抑えた適正な給水量をドラム５内に確保することができる。
【００３７】
但し、所定休止時間後の変動水位Ｗ２の低下が予測を超えて大きく検出された異常な場合を想定して、そのような場合の異常な違差αに等しい調整水量βを付加した上方修正は極めて高水位設定となり、一時的にでも多量の給水がなされることは安全性にも問題となる。そこで、本実施例では、調整水量βが必要以上の高水位（例えば、溢水水位以上）に設定されないように上限値を設け、違差αが予め設定された範囲外まで水位低下しても、これに相応した調整水量よりも低い上限値に止めるようにし、異常な高水位となるのを防止し安全性を確保できるようにした。この場合、水位違差αに上限値を設定しても上記同様に異常な水位設定となるのを防止できる。
【００３８】
更には、上記現象は主に水槽２内の圧力の変動に基づくものであるが、洗いやすすぎ行程においては、洗濯物が吸水することにより水位が低下するため、補注水を必要としているが、この場合の水量調整は先の給水行程時における給水制御手段により設定された補正目標水位Ｗ３及び調整水量βと同じくして給水制御するようにした。従って、同じ給水条件のもとに本来必要な目標水位Ｗ０に基づき給水され、補注水後の洗浄効果を良好になし得る。
【００３９】
尚、本発明は上記し且つ図面に示した実施例に限らず、例えば乾燥機能付やドラム式洗濯機に限らず、これは給水時の圧力変動が予測される水槽を備えた洗濯機に共通に採用できるもので、また具体構成において調整水量は違差と同等の水位（水量）をもって調整するようにしたが、これは違差に応じて適宜設定された水量とすればよいもので、例えば初期所定水位を検出した後の給水休止時間との組合せにより調整水量を設定することも可能など種々考えられ、実施に際して本発明の要旨を逸脱しない範囲で、種々変更して実施できるものである。
【図面の簡単な説明】
【００４０】
【図１】本発明の一実施例を示す給水制御手段による異なる状態（イ），（ロ）の作用説明図
【図２】給水制御手段のフローチャート
【図３】乾燥機能付のドラム式洗濯機の全体構成を示す要部を破断した側面図
【図４】電気的構成を示すブロック図
【符号の説明】
【００４１】
図面中、１は筐体、２は水槽、５はドラム（洗濯槽）、９は排水ホース、１０は溢水ホース、１０ａは溢水口、１１は給水弁（給水手段）、１４は圧力センサ、２０は制御手段（洗濯物量検出手段、給水制御手段）、及び２２は給水管路を示す。
【図１】
2005160510.tif 000003
【図２】
2005160510.tif 000004
【図３】
2005160510.tif 000005
【図４】
2005160510.tif 000006